(57)【要約】【課題】表示装置の握り部の一端に、タイヤの空気口に取り付け可能な取り付け部を備え、タイヤに取り付けられた表示装置がタイヤと共に回転することにより、表示装置に備え付けられた複数のＬＥＤのうちの点灯したＬＥＤの回転軌跡が所定の図柄を表示する表示装置の提案をする。【解決手段】握り部と、該握り部の一端から延び複数のＬＥＤを配列したＬＥＤ配列部と、他端には、タイヤの空気口に取り付けるため内部が螺旋構造を有する取り付け部と、前記複数のＬＥＤを点滅制御するための制御部とを備えた図柄の表示装置であって、前記制御部は、前記表示装置を回転させた時に、前記複数のＬＥＤのうちの点灯したＬＥＤの回転軌跡が所定の図柄を描くように該ＬＥＤを選択的に点滅制御することで上記課題を解決した。【選択図】図１
0003153924.tif 000002
【実用新案登録請求の範囲】
【請求項１】
握り部と、該握り部の一端から延び複数のＬＥＤを配列したＬＥＤ配列部と、他端には、タイヤ空気口に取り付けるため内部が螺旋構造を有する取り付け部と、前記複数のＬＥＤを点滅制御するための制御部とを備えた図柄の表示装置であって、
前記ＬＥＤの列数は少なくとも１列であり、
前記制御部は、前記表示装置を回転させた時に、前記複数のＬＥＤのうちの点灯したＬＥＤの回転軌跡が所定の図柄を描くように該ＬＥＤを選択的に点滅制御する、
ことを特徴とする発光素子の点滅制御による図柄の表示装置。
【請求項２】
前記取り付け部は、二輪車のタイヤ空気口に取り付けられる構造であることを特徴とする請求項１記載の発光素子の点滅制御による図柄の表示装置。
【請求項３】
前記取り付け部は、自動車のタイヤ空気口に取り付けられる構造であることを特徴とする請求項１記載の発光素子の点滅制御による図柄の表示装置。
【請求項４】
前記取り付け部は、前記ＬＥＤ配列部が延びる方向に対して直交する方向になるように前記握り部の他端に配備されていることを特徴とする請求項３記載の発光素子の点滅制御による図柄の表示装置。
【考案の詳細な説明】
【技術分野】
【０００１】
本考案は発光部の点滅を利用した表示装置に関し、特に発光素子の点滅制御により、文字、又は、図形、若しくは、文字と図形との組み合わせを表示する表示装置に関する。なお、以下、本明細書、実用新案登録請求の範囲において、「文字、又は、図形、若しくは、文字と図形との組み合わせ」を単に「図柄」と表示する。
【背景技術】
【０００２】
従来、発光部の点灯、点滅を利用した表示装置としてペンライトが知られている。ペンライトの表示方法は、左右或いは上下に振ることにより、ＬＥＤ（発光素子）等の発光が残像現象を起こし、その残像が所定の図柄を表示するものが多い（例えば特許文献１）。
【０００３】
しかし、表示装置の上下左右の往復運動以外の運動での発光の残像、つまり図柄を表示させる手段は見受けられない。
【０００４】
そこで本考案は、新たな表示装置を開示し、表示装置の上下左右の往復運動以外の新たな方法で図柄を表示させる装置を提案する。
【先行技術文献】
【特許文献】
【０００５】
【特許文献１】実公平７−２０７０５号公報
【特許文献２】実用新案登録第２５８００８９号公報
【考案の概要】
【考案が解決しようとする課題】
【０００６】
この考案は、表示装置の握り部の一端に、自転車や自動車などのタイヤ空気口に取り付け可能な取り付け部を備え、タイヤ空気口に取り付けられた表示装置がタイヤと共に回転することにより、表示装置に備え付けられた複数のＬＥＤのうちの点灯したＬＥＤの回転軌跡が所定の図柄を表示する表示装置の提案を目的とする。
【課題を解決するための手段】
【０００７】
請求項１記載の考案は、
握り部と、該握り部の一端から延び複数のＬＥＤを配列したＬＥＤ配列部と、
他端には、タイヤ空気口に取り付けるため内部が螺旋構造を有する取り付け部と、前記複数のＬＥＤを点滅制御するための制御部とを備えた図柄の表示装置であって、
前記ＬＥＤの列数は少なくとも１列であり、
前記制御部は、前記表示装置を回転させた時に、前記複数のＬＥＤのうちの点灯したＬＥＤの回転軌跡が所定の図柄を描くように該ＬＥＤを選択的に点滅制御する、
ことを特徴とする発光素子の点滅制御による図柄の表示装置である。
【０００８】
請求項２記載の考案は、
前記取り付け部は、二輪車のタイヤ空気口に取り付けられることを特徴とする請求項１記載の発光素子の点滅制御による図柄の表示装置である。
【０００９】
請求項３記載の考案は、
前記取り付け部は、自動車のタイヤ空気口に取り付けられることを特徴とする請求項１記載の発光素子の点滅制御による図柄の表示装置である。
【００１０】
請求項４記載の考案は、
前記取り付け部は、前記ＬＥＤ配列部が延びる方向に対して直交する方向になるように前記握り部の他端に配備されていることを特徴とする請求項３記載の発光素子の点滅制御による図柄の表示装置である。
【考案の効果】
【００１１】
この考案によれば、表示装置の握り部の一端に、自転車や自動車のタイヤ空気口に取り付け可能な取り付け部を備え、タイヤ空気口に取り付けられた表示装置がタイヤと共に回転することにより、表示装置に備え付けられた複数のＬＥＤのうちの点灯したＬＥＤの回転軌跡が所定の図柄を表示する表示装置を提供することができる。
【図面の簡単な説明】
【００１２】
【図１】（ａ）本考案における表示装置の斜視図、（ｂ）同じく取り付け部の断面拡大図。
【図２】本考案の他の表示装置から握り部と電池を取り外した状態の正面図。
【図３】図２図示の表示装置を自動車のタイヤ空気口に装着させた状態の図。
【図４】本考案における表示装置の電子回路の一例を表した図。
【考案を実施するための形態】
【００１３】
添付図面を参照しつつ考案を実施するための形態を説明する。
【００１４】
本考案における表示装置１ａは、握り部２ａと、握り部２ａの一端から延び複数のＬＥＤを配列したＬＥＤ配列部４ａと、握り部２ａの他端に二輪車のタイヤ空気口に取り付けるための取り付け部３ａを備えている。
【００１５】
前記握り部２ａの他端に備え付けてある取り付け部３ａは、自転車などの二輪車のタイヤ空気口に装着するため、形状が円筒形状であり、円筒内部が螺旋状になるような溝７が内壁６に設けられている（図１（ｂ））。この円筒内部が螺旋状からなる取り付け部３ａを二輪車のタイヤ空気口に装着し、固定する。
【００１６】
前記握り部２ａの内部には電池８を内蔵することができ、表示装置１ａから握り部２ａを取り外し、握り部２ａの内部に必要な数の電池を装填する。
【００１７】
ＬＥＤ５の点滅表示を制御する方法については特に限定する方法はないので、ＬＥＤ配列部４ａに、ＬＥＤ５を点滅制御できる公知の電子回路が組み込まれていればよい（例えば特許文献１）。
【００１８】
前記公知のＬＥＤ点滅制御により、ＬＥＤ配列部４ａに配列されたＬＥＤ５が選択的に点滅する。
【００１９】
二輪車のタイヤ空気口に装着された表示装置１ａが二輪車タイヤと共に回転するときに前記ＬＥＤ５が点滅することにより、ＬＥＤ５の回転軌跡が所定の図柄を描くことになる。
【００２０】
前記二輪車タイヤの回転を利用することにより、ＬＥＤ表示装置の使用目的が拡がることになる。例えば、宣伝・広告を目的とすれば有益な効果が期待できる。
【００２１】
また、前記取り付け部を握り部から分離させ、分離した取り付け部の中心軸と前記握り部の中心軸とが直交する方向に取り付け部の位置を変え、その位置を保持するため、前記握り部の底面から延び前記取り付け部の上部側へ到達する接続部９を介装させることにより、自動車のタイヤ１０の空気口に取り付けて使用することもできる（図２、図３）。
【００２２】
自動車のタイヤ空気口は、タイヤの回転軸と平行に設置されているため、前記取り付け部の位置を変更する必要がある。前記取り付け部を自動車のタイヤ空気口の中心軸と同軸に装着できるように取り付け部の位置を変え、取り付け部と握り部を繋ぐ接続部を介装させることで、自動車タイヤの空気口に取り付けて使用できるＬＥＤ表示装置を提供することができる。
【実施例１】
【００２３】
図１（ａ）は本考案における表示装置１ａ全体を示す斜視図である。表示装置１ａは、握り部２ａと、握り部２ａの一端から延び複数のＬＥＤ５を配列したＬＥＤ配列部４ａと、握り部２ａの他端に二輪車のタイヤ空気口に取り付けるための取り付け部３ａを備えている。
【００２４】
前記取り付け部３ａは、二輪車のタイヤ空気口に装着するため、その形状が円筒形状であり、円筒内部が螺旋状になるような溝７が内壁６に設けられている（図１（ｂ））。この、円筒内部が螺旋状からなる取り付け部３ａを二輪車のタイヤ空気口に装着し、固定する。
【００２５】
前記握り部２ａの内部には電池８を内蔵することができ、表示装置１ａから握り部２ａを取り外し、握り部２ａの内部に必要な数の電池を装填することができる。
【００２６】
図示の実施形態では、ＬＥＤ配列部４ａに５つのＬＥＤ５が配列されている。これらＬＥＤ５がそれぞれ所定の図柄を描くように点滅する。前記ＬＥＤの個数や列数に限定はないので、表示させたい図柄にあわせて自由に決めることができる。
【００２７】
ＬＥＤ５の点滅表示を制御する方法については特に限定はないので、ＬＥＤ配列部４ａに、ＬＥＤ５を点滅制御できる公知の電子回路が組み込まれていればよい（例えば特許文献１）。
【００２８】
前記公知のＬＥＤ点滅制御により、ＬＥＤ配列部４ａに配列された５つのＬＥＤ５が選択的に点滅する。すなわち、ＬＥＤの移動軌跡が所定の図柄を描くようなプログラムに従って点滅する。
【００２９】
二輪車のタイヤ空気口に装着された表示装置１ａが二輪車タイヤと共に回転する際に、前記５つのＬＥＤ５が点滅する。この回転により５つのＬＥＤ５の回転軌跡が所定の図柄を描くことになる。
【００３０】
前記二輪車タイヤの回転を利用することにより、ＬＥＤ表示装置の使用目的が拡がることになる。例えば、宣伝・広告を目的とすれば有益な効果が期待できる。
【実施例２】
【００３１】
図２は本考案における表示装置１ｂについて、表示装置１ｂから握り部３ｂを取り外した状態を示す正面図である。
【００３２】
前記表示装置１ｂは、内部に電池を内蔵できる握り部２ｂと、握り部２ｂの一端から延び複数のＬＥＤ５を配列したＬＥＤ配列部４ｂと、自動車タイヤ１０の空気口に取り付けるための取り付け部３ｂと、前記握り部２ｂと取り付け部３ｂとを繋ぐ接続部９を備えている。
【００３３】
前記取り付け部３ｂは自動車タイヤ１０の空気口に装着させるため、取り付け部３ｂの中心軸と握り部２ｂの中心軸とが直交するように取り付け部３ｂの位置を変え、その位置を保持するため、前記握り部２ｂの底面から延び前記取り付け部３ｂの上部側へ到達する接続部９を介装させることにより、自動車タイヤ１０の空気口に装着することができる（図３）。
【００３４】
また前記取り付け部３ｂは、自動車のタイヤ空気口に装着するため、その形状が円筒形状であり、円筒内部は前記表示装置に係る握り部３ａと同一である。この、円筒内部が螺旋状からなる取り付け部３ｂを自動車タイヤ１０の空気口に装着し、固定する。
【００３５】
図示の実施形態では、ＬＥＤ配列部４ｂに１１個のＬＥＤ５が配列されている。これらＬＥＤ５がそれぞれ所定の図柄を描くように点滅する。前記ＬＥＤの個数や列数に限定はないので、表示させたい図柄にあわせて自由に決めることができる。
【００３６】
ＬＥＤ５の点滅表示を制御する方法については特に限定はないので、ＬＥＤ配列部４ｂに、ＬＥＤ５を点滅制御できる公知の電子回路が組み込まれていればよい（例えば特許文献１）。
【００３７】
前記公知のＬＥＤ点滅制御により、ＬＥＤ配列部４ｂに配列された１１個のＬＥＤ５が選択的に点滅する。すなわち、ＬＥＤの移動軌跡が所定の図柄を描くようなプログラムに従って点滅する。
【００３８】
自動車タイヤ１０の空気口に装着された表示装置１ｂが自動車タイヤ１０と共に回転する際に、前記１１個のＬＥＤ５が点滅する。この回転により１１個のＬＥＤ５の回転軌跡が所定の図柄を描くことになる。
【００３９】
前記自動車タイヤの回転を利用することにより、ＬＥＤ表示装置の使用目的が拡がることになる。例えば、宣伝・広告を目的とすれば有益な効果が期待できる。
【符号の説明】
【００４０】
１  表示装置
２  握り部
３  取り付け部
４  ＬＥＤ配列部
５  ＬＥＤ
８  電池
９  接続部
１０  自動車タイヤ
【図１】
0003153924.tif 000003
【図２】
0003153924.tif 000004
【図３】
0003153924.tif 000005
【図４】
0003153924.tif 000006